(57)【要約】【課題】メールの送信者が予め設定した特定の人である場合には、送信されたメールの内容を受信側で暗号化できる携帯電話装置および受信メールの表示方法を提供することを目的とする。【解決手段】メール情報を受信する手段と、受信したメール情報に含まれる送信者の情報と予め設定されている情報とを照合する手段と、メール情報に含まれる送信者の情報が予め設定されている情報に一致したときに、暗号鍵を生成する手段と、受信したメールの表示要求があったときに、生成された暗号鍵に基づいて、受信したメールを暗号化する手段と、暗号化されたメールを表示する手段とにより、メールの送信者が予め設定した特定の人である場合には、送信されたメールの内容を受信側で暗号化する。【選択図】      図２
2006040137.tif 000002
【特許請求の範囲】
【請求項１】
メール情報を受信する受信手段と、
該受信したメール情報に含まれる送信者の情報と予め設定されている情報とを照合する照合手段と、
該メール情報に含まれる送信者の情報が予め設定されている情報に一致したときに、暗号鍵を生成する暗号鍵生成手段と、
該生成された暗号鍵に基づいて、受信したメールを暗号化する暗号化手段と、
該暗号化されたメールを表示する表示手段と、
を備えたことを特徴とする携帯電話装置。
【請求項２】
特定の送信者のメールアドレスと電話番号とを関連づけて記憶するデータテーブルを備え、
前記受信したメール情報に含まれるメールアドレスが前記データテーブルに存在するときに、前記暗号鍵生成手段が、送信者の電話番号及び／又は受信者の電話番号から暗号鍵を生成することを特徴とする請求項１に記載された携帯電話装置。
【請求項３】
メール情報を受信する受信ステップと、
該受信したメール情報に含まれる送信者の情報と予め設定されている情報とを照合する照合ステップと、
該メール情報に含まれる送信者の情報が予め設定されている情報に一致したときに、暗号鍵を生成する暗号鍵生成ステップと、
該生成された暗号鍵に基づいて、受信したメールを暗号化する暗号化ステップと、
該暗号化されたメールを表示する表示ステップと、
を備えたことを特徴とする受信メールの表示方法。
【請求項４】
前記暗号鍵生成ステップが、前記受信したメール情報に含まれるメールアドレスが前記特定の送信者のメールアドレスと電話番号とを関連づけて記憶するデータテーブルに存在するときに、送信者の電話番号及び／又は受信者の電話番号から暗号鍵を生成することを特徴とする請求項３に記載された受信メールの表示方法。
【発明の詳細な説明】
【技術分野】
【０００１】
本発明は、メールの受信機能を備えた携帯電話装置に関し、特に、特定の送信者から受信したメールを暗号化して表示する携帯電話装置および受信メールの表示方法に関する。
【背景技術】
【０００２】
近年、携帯情報端末や携帯電話機に代表される通信端末装置の普及は目覚しく、特に携帯電話機では通話料金や本体価格の低下に伴い、一人に一台の時代となりつつあり、若者の間では既に必須アイテムとなっている。
【０００３】
また、それらの通信端末装置では基本機能である通話機能に加え、テキストデータや各種ファイルを送受信する電子メール機能やインターネット接続機能を具備するものを各通信事業者が短期間に競って商品化しており、次々に性能アップと機能アップが図られている。
【０００４】
殊に、電子メール機能は、着信相手が通話可能であるか否かにかかわらず、要件を文字や記号、絵文字等によって作成したメールで簡単に送信できるため、多くのユーザに利用されており、最近では、通信事業者がパケット通信の定額化をうたい文句に顧客の獲得を図っている。
【０００５】
一方で、電子メール機能は、上述のような利点を有する反面、受信者にとっては、知らないうちに多くのメールが受信され、また、送信者側にとっては、それぞれのメールの重要度がわからないために、重要度が高いにもかかわらず、メールを着信の順番に開封すると、受信者からなかなか返信が得られないという問題がある。
【０００６】
こうした問題に対して、ユーザが予め設定した重要度に関するルールに基づいて受信した電子メールの重要度を決め、その重要度に応じた表示方法で、電子メール見出し一覧表示を行うものが知られている（例えば、特許文献１参照。）。
【０００７】
また、メールの情報は、一般的な連絡手段として用いられることが多いものの、個人間の情報伝達手段であることから、プライバシーの保護についても留意する必要がある。こうした要請に対して、従来は、メールをロックする方法が提案されている。この方法は、メールボックスに入ると、携帯電話機の操作者にロックナンバーを要求し、このロックナンバーが一致したときに、メールのロックを解除し、その内容を表示するものである。また、こうした方法以外にも、特定のメールに関しては、特別な操作を行わないと、メールボックスの一覧表にも表示しない方法が提案されている。
【特許文献１】特開平９−２００２５４号公報
【発明の開示】
【発明が解決しようとする課題】
【０００８】
しかし、上記の方法では、ロックナンバーの設定や解除が煩雑であり、また、ロックナンバーを設定していないときには、他人にメールの内容を覗かれる危険性がある。
【０００９】
そこで、本発明は、上記事情を考慮し、メールの送信者が予め設定した特定の人である場合には、送信されたメールの内容を受信側で暗号化できる携帯電話装置および受信メールの表示方法を提供することを目的とする。
【課題を解決するための手段】
【００１０】
請求項１に記載の発明は、メール情報を受信する受信手段と、該受信したメール情報に含まれる送信者の情報と予め設定されている情報とを照合する照合手段と、該メール情報に含まれる送信者の情報が予め設定されている情報に一致したときに、暗号鍵を生成する暗号鍵生成手段と、該生成された暗号鍵に基づいて、受信したメールを暗号化する暗号化手段と、該暗号化されたメールを表示する表示手段とを備えたことを特徴とする。
【００１１】
請求項３に記載の発明は、メール情報を受信する受信ステップと、該受信したメール情報に含まれる送信者の情報と予め設定されている情報とを照合する照合ステップと、該メール情報に含まれる送信者の情報が予め設定されている情報に一致したときに、暗号鍵を生成する暗号鍵生成ステップと、該生成された暗号鍵に基づいて、受信したメールを暗号化する暗号化ステップと、該暗号化されたメールを表示する表示ステップとを備えたことを特徴とする。
【００１２】
請求項１または請求項３に記載の発明によれば、照合手段により、受信手段により受信したメール情報に含まれる送信者の情報と予め設定されている情報とが照合される。そして、暗号鍵生成手段が、メール情報に含まれる送信者の情報が予め設定されている情報に一致したときに、暗号鍵を生成し、受信したメールの表示要求があったときに、生成された暗号鍵に基づいて、受信したメールを暗号化して、暗号化されたメールを表示する。
【００１３】
請求項２に記載の発明は、請求項１に記載された携帯電話装置について、特定の送信者のメールアドレスと電話番号とを関連づけて記憶するデータテーブルを有し、前記受信したメール情報に含まれるメールアドレスが前記データテーブルに存在するときに、前記暗号鍵生成手段が、送信者の電話番号及び／又は受信者の電話番号から暗号鍵を生成することを特徴とする。
【００１４】
請求項４に記載の発明は、請求項３に記載された受信メールの表示方法について、前記暗号鍵生成ステップが、前記受信したメール情報に含まれるメールアドレスが前記特定の送信者のメールアドレスと電話番号とを関連づけて記憶するデータテーブルに存在するときに、送信者の電話番号及び／又は受信者の電話番号から暗号鍵を生成することを特徴とする。
【００１５】
請求項２または請求項４に記載の発明によれば、暗号鍵生成手段が、受信したメール情報に含まれるメールアドレスが特定の送信者のメールアドレスと電話番号とを関連づけて記憶するデータテーブルに存在するときに、送信者の電話番号と受信者の電話番号から暗号鍵を生成する。
【発明の効果】
【００１６】
請求項１または請求項３に記載の発明は、メールを受信した受信側がメールの内容を暗号化するため、送信側に処理負担を及ぼすことがないという効果がある。また、受信側がメールの内容を暗号化するため、送信側の携帯電話装置が特別なものである必要がなく、不要な通信負荷を及ぼすことがないという効果がある。
【００１７】
又、設定された情報と照合するので、暗号化するメールと暗号化しないメールとを区別して設定することができる。即ち、特定の相手先からのメールのみを暗号化する為、真に見られたくないメールのみを暗号化でき、総てのメールを暗号化した場合に、他人に見られても良いメールまでも一々複合化の操作を行う必要がない。
【００１８】
請求項２または請求項４に記載の発明は、受信側の電話番号と送信側の電話番号とに基づいて暗号鍵を生成するため、送信相手によって、暗号化処理を変更することができる。
【発明を実施するための最良の形態】
【００１９】
次に、本発明の一実施形態に係る携帯電話装置について、図面を参照して説明する。
【００２０】
本発明の実施形態に係る携帯電話装置１０は、図１に示すように、通信部（受信手段）１２と、ＣＤＭＡ処理回路１８および音声コーデック２０とからなるベースバンド部１４と、アンテナ１６と、切替回路２２と、増幅回路２４、２８、３２と、第１スピーカ２６と、マイクロホン３０と、第２スピーカ３４と、制御回路（照合手段）３６と、ＲＯＭ３８と、ＲＡＭ（データテーブル）４０と、ディスプレイ４２（表示手段）と、照明部４６と、テンキー４８と、通話キー５０と、切キー５２と、機能キー５４とからなる入力部（入力手段）４４と、暗号化部４３（暗号鍵生成手段、暗号化手段）と、復号化部（復号手段）４５とから構成されている。
通信部１２は、後述のベースバンド部１４から出力される中間周波数帯の送信信号を無線周波数帯に変換し、この信号をアンテナ１６を介して基地局へ発信し、あるいはアンテナ１６を介して受信した基地局からの電波信号を中間周波数帯に変換してベースバンド部１４に出力する。本実施形態においては、送信側端末からメールアドレスやメール情報等を受信し、これをベースバンド部１４に出力する。
【００２１】
ベースバンド部１４を構成するＣＤＭＡ処理回路１８は、符号分割多元接続やスクランブル処理、誤り制御およびタイミング検出等の処理を行う。音声コーデック２０は、音声データの圧縮処理（符号化）および伸長処理を行い、あるいは、アナログ信号をディジタル信号に、ディジタル信号をアナログ信号に変換処理する。また、図示しない内部の増幅回路の増幅度を可変して、受話音量を増幅あるいは減衰させ、マイクロホンの感度を変更する。
【００２２】
切替回路２２は、増幅回路２４を介して第１スピーカ２６に接続されている。第１スピーカ２６は、増幅回路２４で増幅されたベースバンド部１４からの電気信号を音声信号として外部に出力する。この第１スピーカ２６は、ユーザの耳にあてることにより、通話に使用される。
【００２３】
切替回路２２は、また、増幅回路２８を介してマイクロホン３０が接続されている。このマイクロホン３０は、通話に使用され、収音した音声信号を電気信号に変換する。マイクロホン３０から出力された電気信号は、増幅回路２８において増幅されてベースバンド部１４に出力される。
【００２４】
切替回路２２は、また、増幅回路３２を介して第２スピーカ３４が接続されている。この第２スピーカ３４には、増幅回路３２において増幅されたベースバンド部１４から入力された電気信号を音声信号として外部に出力する。この第２スピーカ３４は、受話音を周囲の人々に聞かせるための拡声用のスピーカである。また、第２スピーカ３４は、着信報知の鳴動も行う。なお、これらの３つの増幅回路２４、２８、３２は、ゲインが固定されており、第１スピーカ２６及び第２スピーカ３４の音量やマイクロホン３０の感度を変更することはできないようになっている。
【００２５】
切替回路２２は、また、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２６】
制御回路３６は、通話に必要な制御（例えば、位置登録、待受け、リンク確立、ハンドオーバなどの制御）や表示制御など携帯電話装置の全ての制御を行う。本実施形態においては、ＲＡＭ４０内に格納されたデータテーブルから受信したメール情報内のメールアドレスに基づいて、送信者側の電話番号を検索し、電話番号がデータテーブル内にあったときには、この電話番号を暗号化部４３に出力する。また、送受信制御、電話番号通知制御および電話番号記憶制御などを行う。さらに、上述した切替回路２２の切替制御やベースバンド部１４における音声コーディング２０を制御し、第１スピーカ２６及び第２スピーカ３４の音量やマイクロホン３０の感度を制御する。
ＲＯＭ３８には、携帯電話装置全体を制御するためのシステムプログラムが格納されている。また、ＲＡＭ４０は、不揮発性メモリ等で構成され、制御回路３６の制御に必要な所定の情報や発呼あるいは電子メールの送信に使用する電話帳データ、写真などの画像データが記憶されている。また、本実施形態においては、特定の送信者のメールアドレスと電話番号とを関連付けて記憶するデータテーブルを備えている。
【００２７】
ディスプレイ４２は、現在の時刻や、電話番号、電子メールの内容等の所定の情報を表示する表示器であり、例えば、カラーＬＣＤやＥＬ（エレクトロ・ルミネッセンス）、ＰＤＰ（プラズマ・ディスプレイ・パネル）などで構成されている。照明部４６は、ディスプレイ４２やキー等の照明を行う。入力部４４は、電話番号等の入力を行うテンキー４８と、通話の開始を操作する通話キー５０と、通話の終了を操作する切キー５２と、各種機能の設定を行う機能キー５４と、を有している。
【００２８】
暗号化部４３は、送信者および受信者の電話番号に基づいて暗号鍵を生成するとともに、この暗号鍵を用いて、メールの内容を暗号化する。なお、暗号化の詳細については後述する。復号化部４５は、暗号化されたメールの内容を暗号化部４３において生成された暗号鍵を用いて復号化する。
【００２９】
次に、本実施形態に係る携帯電話装置の処理動作について、図２に示すフローチャートに基づいて説明する。
【００３０】
まず、制御回路３６は、ユーザからの受信メールの表示要求があるか否かを確認し、表示要求がない場合には、表示要求を待って待機する（ステップ１０１）。ユーザからの受信メールの表示要求がある場合には、表示要求のあったメール送信者のメールアドレスがＲＡＭ４０内のデータテーブルにあるか否かを検索する（ステップ１０２）。そして、表示要求のあったメール送信者のメールアドレスがＲＡＭ４０内のデータテーブルにある場合には、次に、メールアドレスに対応する送信者の電話番号を検索する（ステップ１０３）。一方、表示要求のあったメール送信者のメールアドレスがＲＡＭ４０内のデータテーブルにない場合には、メールの内容をそのまま表示データとしてディスプレイ４２に出力し、表示する（ステップ１０４）。送信者の電話番号を検索すると、これと受信端末の電話番号とを暗号化部４３に出力する。暗号化部４３では、送信側及び／又は受信側の電話番号から暗号鍵を生成する（ステップ１０５）。続いて、この暗号鍵に基づいて、表示要求のあったメールを暗号化する（ステップ１０６）。ステップ１０５及び１０６の具体的な動作としては、先ず、送信側又は受信側の電話番号の下４桁とメール本文データの内の、１文字のデータとの排他的論理和をとる。
【００３１】
尚、送信側の電話番号の下４桁と１文字の排他的論理和を取り、次の１文字については、受信側の電話番号の下４桁と１文字の排他的論理和をとり、これを繰り返す構成としても良い。
【００３２】
続いて、このように変換したデータにｂａｓｅ６４を用いたキャラクタ変換を行う。ｂａｓｅ６４は、バイナリデータ、すなわちバイト列を３バイト（２４ビット）ずつに分割し、さらに、この２４ビットを６ビットずつの４つの組に分割して、それぞれを０から６３の計６４種類の数として表現するものである。もうすこし具体的に説明すると、元のバイナリデータの６ビットを０〜６３までの数とみなし、これらをそれぞれアルファベットのＡ〜Ｚの大文字、小文字（全部で２６文字×２の５２文字）、数字の０〜９（全部で１０文字）、および「＋」と「／」との６４文字に対応させることでデータをエンコードする方法である。
こうして、暗号化されたメールのデータは、ディスプレイ４２に出力され、表示される（ステップ１０７）。
【００３３】
尚、携帯電話の持ち主であるユーザが暗号化されたメールを見たい場合には、逆の操作を行えばよい。即ち、ｂａｓｅ６４で変換されたデータをｂａｓｅ６４で逆変換し、更に、このデータを電話番号の下４桁で排他的論理和をとることにより、もとのデータに戻して表示することができる。
なお、本実施形態においては、表示要求があったときに所定のメールに対して、暗号化処理を行い、処理後のデータを表示する例について説明したが、例えば、メール受信をした際に、送信者のメールアドレスから暗号化の対象メールであるか否かを判断するとともに、データテーブルから検索した電話番号に基づいてデータを暗号化して、これをＲＡＭ４０に格納するとともに、表示要求があったときには、ＲＡＭ４０に格納した暗号化済のデータをディスプレイ４２に表示させるようにしてもよい。
【００３４】
したがって、本実施形態によれば、メールを受信した受信側がメールの内容を暗号化するため、送信側の携帯電話装置が特別なものである必要がなく、不要な通信負荷を及ぼすことがない。
以上、図面を参照して本発明の実施の形態について詳述してきたが、具体的な構成はこれらの実施形態に限られるものではなく、この発明の要旨を逸脱しない範囲の設計変更等も含まれる。
【図面の簡単な説明】
【００３５】
【図１】本発明の携帯電話装置の構成図である。
【図２】本発明の携帯電話装置の処理フローチャートである。
【符号の説明】
【００３６】
１０・・・携帯電話装置、１２・・・通信部（受信手段）、１４・・・ベースバンド部、１６・・・アンテナ、１８・・・ＣＤＭＡ処理回路、２０・・・音声コーデック、２２・・・切替回路、２４、２８、３２・・・増幅回路、２６・・・第１スピーカ、３０・・・マイクロホン、３４・・・第２スピーカ、３６・・・制御回路（照合手段）、３８・・・ＲＯＭ、４０・・・ＲＡＭ、４２・・・ディスプレイ（表示手段）、４３・・・暗号化部（暗号鍵生成手段、暗号化手段）、４４・・・入力部（入力手段）、４５・・・復号化部（復号手段）、４６・・・照明部、４８・・・テンキー、５０・・・通話キー、５２・・・切キー、５４・・・機能キー、
【図１】
2006040137.tif 000003
【図２】
2006040137.tif 000004